(57)【要約】【課題】井戸の内部に挿入しやすく、井戸内にコード等の邪魔物があっても、採水器を容器に挿入でき、かつ水を採取できる井戸水採水具、井戸水採水装置および井戸水採水方法を提供する。【解決手段】井戸水採水具１０は、複数個の採水容器１を間隔をあけて直列に連結する吊り紐２と、吊り紐２の下端に取付けた錘３とを備え、吊り紐２は、自在に曲がる柔軟性を有している。採水容器１が、下端が底部で塞がれ上端が開口した筒状容器であって、直径５〜３０mm、長さ５０〜200mmであり、吊り紐２で連結されている直列に隣接する採水容器１の間の間隔が、５０〜200mmである。井戸水採水装置は、井戸水採水具１０と、井戸の内部に挿入される誘導パイプＰとからなり、誘導パイプＰは、その内部に井戸水採水具１０を挿入可能であり、かつ誘導パイプＰ自体が井戸内の邪魔物を避けて井戸内に配置できる柔軟性を有している。【選択図】図１
2011127345.tif 000002
【特許請求の範囲】
【請求項１】
複数個の有底筒状の採水容器と、
該複数の採水容器を間隔をあけて直列に連結する吊り紐と、
該吊り紐および前記採水容器からなる取水部の下端に取付けた錘とを備え、
前記吊り紐は、自在に曲がる柔軟性を有している
ことを特徴とする井戸水採水具。
【請求項２】
前記採水容器が、下端が底部で塞がれ上端が開口した筒状容器であって、直径１０〜３０mm、長さ５０〜150mmであり、
前記吊り紐で連結されている直列に隣接する採水容器の間の間隔が、５０〜200mmである
ことを特徴とする請求項１記載の井戸水採水具。
【請求項３】
前記吊り紐は、２本の紐からなり、
該２本の紐は、前記採水容器における中心対称な胴部外面に固定されており、
かつ、前記採水容器における上端の直近上方で互いに固縛され、下端の直近下方でも互いに固縛されており、
前記上下の固縛部位は、前記採水容器の中心軸上に位置する
ことを特徴とする請求項１または２記載の井戸水採水具。
【請求項４】
前記採水容器の長さと、直列に隣接する採水容器間の吊り紐の長さとが、ほぼ同じである
ことを特徴とする請求項３記載の井戸水採水具。
【請求項５】
請求項１記載の井戸水採水具と、
井戸の内部に挿入される誘導パイプとからなり、
該誘導パイプは、その内部に前記井戸水採水具を挿入可能であり、かつ誘導パイプ自体が井戸内の邪魔物を避けて井戸内に配置できる柔軟性を有している
ことを特徴とする井戸水採水装置。
【請求項６】
請求項５記載の井戸水採水装置を用いる井戸水採水方法であって、
前記誘導パイプを、井戸内の邪魔物を避けて内部に通し、かつ該誘導パイプの上端を井戸の上端部に取付けて固定する取付け工程と、
井戸に取付けられた状態の前記誘導パイプに前記井戸水採水具の取水部を、下端の錘、その上方の複数の採水容器の順で挿入する挿入工程と、
井戸水採水具の取水部を井戸内の水位以下まで降ろし、井戸内の水を採取する取水工程と、
採水を終えた井戸水採水具の取水部を誘導パイプ内で引き上げる引き上げ工程とを順に実行する
ことを特徴とする井戸水採水方法。
【発明の詳細な説明】
【技術分野】
【０００１】
本発明は、井戸水採水具、井戸水採水装置および井戸水採水方法に関する。さらに詳しくは、各種の井戸の井戸水や地下水を検査等のためサンプリングする井戸水採水具、井戸水採水装置および井戸水採水方法に関する。
【背景技術】
【０００２】
井戸には様々な種類のものがある。たとえば、地下水検査用の観測井、地下水を人工涵養する涵養井、家庭飲料を汲み上げる井戸などがある。観測井にも多種のものがあり、特殊なものとして、地中タンクに外部から水圧をかけて漏洩を防止するための地下水の水位などを計測する観測井もある。
これらの観測井は、井戸の直径は小さく（例えば、１０〜２０cm）深さが深い（たとえば、数１０ｍ）ものがあり、しかも、地下水の水位や電気伝導度、異常の有無などを計測、検知する各種センサを地下水中に漬けており、各センサと地上の計測器箱とを連結するケーブルが井戸内に配置されていることが多い。
【０００３】
図８の観測井Ｗは、内径が１０cm〜２０cm位で、深さは地下水に達する長さであるから、数１０ｍから数100ｍに達するものもある。そして、地下水の水位や電気伝導度等を計測するセンサ類ＳがコードＣを介して、井戸の中に挿入されている。なお、センサ類Ｓは架台Ｆに固定され、架台ＦがワイヤロープＲで井戸上端部から吊下げられているが、個々のセンサＳがそれぞれのコードＣで吊下げられるものもある。これらのコードには、出荷時の巻きぐせが付いていることから井戸Ｗ内に挿入したとき、自然と井戸内壁に接触して井戸Ｗ内で複雑に湾曲するし、また、人為的に井戸Ｗの上部で輪状に巻いて不要な張力が加わらないようにすることもある。そして、これらのコードＣの上端部分は井戸上端部に固定され、さらに地上の計測器箱Ｂ等に接続されている。このように狭い井戸内で湾曲しているコード類は、サンプリングに使う容器を井戸内に出し入れする際には、邪魔物となる。
【０００４】
従来技術の一例として、従来技術１が特許文献１に示されている。
この特許文献１のサンプリング装置は、ポンプを内蔵した採水容器に真直ぐな棒を連結した構造であり、ボーリングしてできた井戸の中に直管状の管を鉛直に設置し、その管の中に採水容器を棒で吊るした状態で真直ぐに挿入するものである。
【０００５】
しかるに、図８に示すような観測井では、特許文献の従来技術１を使用することはできない。
なぜなら、内部断面積の狭い井戸内に複数本のコードＣが湾曲した状態で設置されているので、直管状の管や真直ぐで曲がらない棒で支持された採水容器を井戸内に挿入することはできず、引き上げることもできないからである。
【０００６】
一方、非特許文献１に記載された従来技術２，３として、つぎがある。
従来技術２は、水質検査用として広く使用されている採水器（製品名：ハイロート採水器）であり、蓋をされた採水瓶を主ロープで吊下げており、もう一本の副ロープで蓋を開閉するものである。容量が1000mlの製品では、直径約１１cm、高さ約３０cm位の大きさである。
しかるに、採水瓶の直径が１１cmに達するほど大きいと、各種センサのコード類が入っている内径の狭い井戸に挿入することはできず、蓋を開閉するための副ロープがコードＣに絡んで蓋の開閉ができなくなる等の問題も生ずる。
【０００７】
従来例３は、ボーリング孔の井戸水を採水するための直管形の容器（製品名：井戸用採水器）であり、直径３〜５cm、高さ約６０cm弱の大きさである。
しかるに、このように長さが６０cm位ある容器が真直ぐで長いと、やはり各種センサのコードがからみ合っている隙間をくぐらせて、井戸の底まで採水器を挿入することはできない。
【０００８】
以上のように、従来技術１〜３は、内部が広く邪魔物が無い井戸には使えるが、内部にコード等の邪魔物がある井戸では使いないか、甚だ使い勝手の悪いものだったのである。
【先行技術文献】
【特許文献】
【０００９】
【特許文献１】特開２００３−２７８８０号公報
【非特許文献】
【００１０】
【非特許文献１】株式会社離合社の製品カタログ「採水器  ８頁、９頁」URL: http://www.rigo.co.jp/
【発明の概要】
【発明が解決しようとする課題】
【００１１】
本発明は上記事情に鑑み、井戸の内部に挿入しやすく、井戸内にコード等の邪魔物があっても、採水器を容器に挿入でき、かつ水を採取できる井戸水採水具、井戸水採水装置および井戸水採水方法を提供することを目的とする。
【課題を解決するための手段】
【００１２】
第１発明の井戸水採水具は、複数個の有底筒状の採水容器と、該複数の採水容器を間隔をあけて直列に連結する吊り紐と、該吊り紐および前記採水容器からなる取水部の下端に取付けた錘とを備え、前記吊り紐は、自在に曲がる柔軟性を有していることを特徴とする。
第２発明の井戸水採水具は、第１発明において、前記採水容器が、下端が底部で塞がれ上端が開口した筒状容器であって、直径１０〜３０mm、長さ５０〜150mmであり、前記吊り紐で連結されている直列に隣接する採水容器の間の間隔が、５０〜200mmであることを特徴とする。
第３発明の井戸水採水具は、第１または第２発明において、前記吊り紐は、２本の紐からなり、該２本の紐は、前記採水容器における中心対称な胴部外面に固定されており、かつ、前記採水容器における上端の直近上方で互いに固縛され、下端の直近下方でも互いに固縛されており、前記上下の固縛部位は、前記採水容器の中心軸上に位置することを特徴とする。
第４発明の井戸水採水具は、第３発明において、前記採水容器の長さと、直列に隣接する採水容器間の吊り紐の長さとが、ほぼ同じであることを特徴とする。
第５発明の井戸水採水装置は、請求項１記載の井戸水採水具と、請請求項１記載の井戸水採水具と、井戸の内部に挿入される誘導パイプとからなり、該誘導パイプは、その内部に前記井戸水採水具を挿入可能であり、かつ誘導パイプ自体が井戸内の邪魔物を避けて井戸内に配置できる柔軟性を有していることを特徴とする。
第６発明の井戸水採水方法は、請求項５記載の井戸水採水装置を用いる井戸水採水方法であって、前記誘導パイプを、井戸内の邪魔物を避けて内部に通し、かつ該誘導パイプの上端を井戸の上端部に取付けて固定する取付け工程と、井戸に取付けられた状態の前記誘導パイプに前記井戸水採水具の取水部を、下端の錘、その上方の複数の採水容器の順で挿入する挿入工程と、井戸水採水具の取水部を井戸内の水位以下まで降ろし、井戸内の水を採取する取水工程と、採水を終えた井戸水採水具の取水部を誘導パイプ内で引き上げる引き上げ工程とを順に実行することを特徴とする。
【発明の効果】
【００１３】
第１発明によれば、採水容器を吊り紐で吊るして井戸の中に入れるとき、最下端の錘によって複数個の採水容器が上下に並び、吊り紐が張った状態となるので、井戸内の邪魔物に引っ掛かりにくい。また、吊り紐は、その柔軟性によって自在に曲がるので、井戸内の邪魔物を避けながら、採水容器を井戸内で出し入れできる。さらに、採水容器は、複数個を用いるので、小形の採水容器を用いていながら、多くの水をサンプリングすることができる。
第２発明によれば、採水容器の直径も長さも小さいので、井戸内の邪魔物を避けやすくなる。しかも、上下に隣接する採水容器間の間隔は採水容器の長さと等しいかやや長いので、吊り紐と採水容器からなる取水部が自由に曲がることができ、やはり井戸内の邪魔物に引っ掛からない。さらに、採水容器が直径１０〜３０mm、長さ５０〜150mmであると、１個では採水量が少なくなるが、複数個を用いることによって、必要な採水量を確保できる。
第３発明によれば、吊り紐が２本あるので、１本が切れても残る１本で採水ができる。また、２本の吊り紐は採水容器の胴部外面に固定されていることから、吊り紐と採水容器の動きが一体化し、井戸内の邪魔物を避ける動作が行いやすい。さらに、採水容器の上下における吊り紐の固縛位置は、採水容器の中心軸上にあるので、吊り紐をたぐることにより採水容器を井戸内に入れ、邪魔物を避けて上げ降ろしする操作がやりやすくなる。
第４発明によれば、採水容器の長さと隣接する採水容器間の吊り紐の長さがほぼ同じであるので、複数本の採水容器を束ねると、各採水容器の上端開口がほぼ同じ位置に揃うので、複数本の採水容器に採取した水を検査容器等に移し替える操作が行いやすくなる。
第５発明によれば、誘導パイプを、それ自体の柔軟性を活かして、井戸内の邪魔物を避けて井戸内に通すことができ、井戸水採水具は吊り紐の柔軟性と錘の引張り力によって、曲って井戸内に挿入された誘導パイプの中を円滑に下降するので、井戸内の邪魔物に接することなく、井戸底部の水を採取することができる。また、採取後の吊り上げも吊り紐に柔軟性があることから、自在に行うことができるので、井戸内の水のサンプリングが容易に行える。
第６発明によれば、誘導パイプの取付け工程で、誘導パイプを井戸内の邪魔物を避けておき、井戸水採水具の挿入工程で、誘導パイプ内に井戸水採水具を錘と複数の採水容器の順で挿入すれば、井戸内の水に採水容器を漬けることができるので、そこで取水工程を実施し、その後、井戸水採水具を引き上げる引き上げ工程を実行すれば、井戸水の採水を、井戸内の邪魔物に阻害されることなく容易に採水することができる。
【図面の簡単な説明】
【００１４】
【図１】本発明の一実施形態に係る井戸水採水具の説明図である。
【図２】図１に示す井戸水採水具の部分拡大図である。
【図３】本発明の他の実施形態に係る井戸水採水具の説明図である。
【図４】本発明の更に他の実施形態に係る井戸水採水具の説明図である。
【図５】本発明の一実施形態に係る井戸水採水装置の説明図である。
【図６】本発明に係る井戸水採水方法の説明図である。
【図７】採水容器から採水した水を検査容器等に移し替える作業の説明図である。
【図８】観測井の一例を示す説明図である。
【発明を実施するための形態】
【００１５】
つぎに、本発明の実施形態を図面に基づき説明する。
（井戸水採水具）
まず、図１に基づき、井戸水採水具１０を説明する。
この井戸水採水具１０は、複数個の採水容器１と、これらを連結する吊り紐２と、錘３とを備えている。
採水容器１は、下端が底部で塞がれ上端が開口した筒状容器である。その大きさは、直径１０〜３０mm、長さ５０〜200mmの容器が使用し易いものとして例示できるが、これに限られるものではなく、井戸Ｗの大きさや後述する誘導パイプ１０の内径などから、任意の寸法のものを用いてよい。
容器の材質には、とくに制限はなく、採取液に応じて、ステンレス鋼などの金属製やプラスチックなどの合成樹脂製を用いればよい。
【００１６】
複数個の採水容器１，１は、吊り紐２で互いに直列に連結されている。この吊り紐２における直列に隣接する採水容器１の間の間隔は、５０〜200mmが使用し易いものとして例示できるが、採水容器１の長さとほぼ同じであってもよい。この場合、後に詳述するように、複数本の採水容器１を束ねてサンプリングした水を検査容器等に移し替える作業が容易となる。
【００１７】
錘３は、複数の採水容器１を連結した吊り紐２の最下端に取付けられている。錘３の数は１個でも複数個でもよく、複数の採水容器１，１を円滑に吊り降ろしていけるだけの重量があればよい。また、錘３の形状はできるだけ小さいことが好ましい。
この錘３と複数の採水容器１，１・・・で、実際に水をサンプルする取水部４が構成されている。
【００１８】
吊り紐２は、自在に曲がる柔軟性を有していることが必要である。この柔軟性は、後述する誘導パイプＰの中を曲りながら通過したり、採水後に採水容器１を傾けてサンプリングした水を検査容器などに移し替える作業が容易に行える程度であれば足りる。したがって、市販されているナイロンロープや麻ロープなどの公知の紐類が、とくに支障なく使用することができる。ただし、水溶性の紐は、サンプリング水の検査精度に悪影響を及ぼすので、水質検査等には用いない方がよい場合がある。なお、水位検査等には材質面での支障はない。
【００１９】
吊り紐２は、井戸の底まで届く長さを有しており、その上端は、適宜の形状の巻取り具５に止着されている。このため、巻取り具５から吊り紐２をたぐり出すと、取水部４を井戸内に降ろすことができ、逆に吊り紐２を巻取り具５に巻き取ると、取水部４を井戸から引き上げることができる。
図示の巻取り具５は、概ね四角形の木枠からなる物であるが、このような単純な器具の代りに、ハンドル操作で正逆回転できるドラムなど、種々の巻取り具を、とくに制限なく用いることができる。
【００２０】
図２は採水容器１と吊り紐２の詳細を示している。
採水容器１の上端部には、中心対称に２ヵ所の小孔１１が設けられ、この小孔１１に吊り紐２が１本づつ通されるようになっている。
なお、採水容器１の開口部の直径をそれ以外の部分よりも小さくし側辺部が内側に絞り込んだ形状としておけば、採水容器１を引き上げる際に周囲に引っ掛かることを防いで円滑に採水できる効果がある。ただし、開口部の直径がそれ以外の部分と同じものも本発明の採水容器１に含まれる。
【００２１】
吊り紐２は、２本用いられており、１本の紐２ａは１方の小孔１１を通されており、他の１本の紐２ｂは、他方の小孔１１を通されている。そして、２本の紐２ａ，２ｂは採水容器１の上端部近傍で互いに固縛され、さらに採水容器１の下端部近傍でも互いに固縛されている。上下の固縛部位２ｆ、２ｆは、採水容器１の中心軸２ｃ上に位置するよう固縛されている。
【００２２】
そして、２本の紐２ａ，２ｂは採水容器１における中心対称の胴部外面に沿わせられ、固定されている。固定方法は任意であり、図示の実施形態では、テープ６を巻き付けているが、接着剤で固定したり、別の紐で固縛してもよい。この場合の接着剤や固縛用の紐は、水溶性であるとサンプリング水の検査精度に悪影響を及ぼすので、水質検査等には用いない方がよい場合がある。なお、水位検査等には材質面での支障はない。
【００２３】
上記の構成であると、吊り紐２が２本あるので、１本が切れても残る１本で採水ができる。また、２本の吊り紐２ａ，２ｂは採水容器１の胴部外面に固定されていることから、吊り紐２と採水容器１の動きが一体化し、井戸内の邪魔物を避ける動作が行いやすい。さらに、採水容器１の上下における吊り紐２の固縛位置２ｆ，２ｆは、採水容器１の中心軸２ｃ上にあるので、吊り紐２をたぐることにより採水容器１を井戸内に入れたり、邪魔物を避けて上げ降ろしする操作がやりやすくなる。
【００２４】
図３は採水用具の他の例を示しており、（Ａ）図のものは、２本の吊り紐を採水容器１の片側の外周面に沿わせ、テープ６で固定したものである。このように、２本の吊り紐２は必ずしも採水容器１の中心軸上に位置させなくてもよい。
【００２５】
また、２本の吊り紐２，２は、（Ａ）図に示すように採水容器１の上端近傍と下端近傍で互いに固縛してもよいが、（Ｂ）図に示すように固縛しなくてもよい。このような実施形態でも、井戸水のサンプリングは可能であり、後述する誘導パイプ２０と共に用いれば、コードＣ等に引っ掛かることもない。
【００２６】
図２および図３に示した採水容器は、上端が開口し底端が閉じられた容器であったが、これとは異なる形状の容器も用いることができる。
たとえば、図４（Ａ）に示すような弁を用いたものでもよい。このような採水容器として、筒状の容器１Ｂは、その上端と下端がほぼ閉じられた形状であって、かつ小孔１２が上端に、小孔１３が下端に形成され、容器１の内部にフロート１４が入っているものも例示できる。なお、２は吊り紐であり、テープ６で固定されている。
【００２７】
図４の採水容器１Ｂでは、空中にあるときはフロート１４が下端の小孔１３を塞いでいるが、水中に漬けられるとフロート１４が浮き上がり、上端の小孔１２を塞ぐ状態となる。このまま、空中に採水容器１Ｂを引き上げると、採水容器１Ｂ内の水は落下することなく、空中に引き上げてサンプリングすることができる。
本発明では、上記のような採水容器の外、サンプリング可能なら、種々のタイプの採水容器を、とくに制限なく用いることができる。
【００２８】
（井戸水採水装置）
図５に示すように、本発明の井戸水採水装置Ａは、上記した井戸水採水具１０と誘導パイプ２０とからなる。
誘導パイプ２０は、その内部に井戸水採水具１０を挿入可能であり、かつ誘導パイプ２０自体が井戸内の邪魔物を避けて井戸Ｗ内に配置できる柔軟性を有するパイプで構成されている。この柔軟性は、井戸Ｗ内の邪魔物を避ける程度に曲ることができ、しかしつぶれて内部が閉塞しない程度の柔軟性であればよい。
したがって、塩化ビニール製などのパイプを好適に用いることができる。パイプの形状に特に制限はないが、たとえば、蛇腹型であると、曲りやすく、しかもつぶれにくく、採水容器１や錘３も引っ掛からず通しやすいので好ましい。
【００２９】
また、誘導パイプ２０には通水穴２１を設け、誘導パイプ内外の水が自由に出入りできるようにしておくとサンプリングの正確さが向上し望ましい。通水穴の大きさは採水容器１や錘３の挿入時に引っかかりのない程度の大きさとし、少なくとも井戸内の水位面から誘導パイプの最深部まで設ける。数や間隔は適宜選定すればよい。
【００３０】
既述のごとく井戸水採水具１０の吊り紐２は自由に曲がることができ、かつ採水容器１は最長で200mmまでの短いものであるので、途中が曲った状態の誘導パイプ２０へ、自在に挿入でき、しかも最下端の錘３の重量で、複数の採水容器１を連結した取水部４を下方へ円滑に降ろしていくことができる。
【００３１】
（井戸水採水方法）
つぎに、井戸水採水方法を図６に基づき説明する。
この井戸水採水方法は、つぎの工程を順に行うことを特徴とする。
（１）誘導パイプ２０を、井戸Ｗ内の邪魔物を避けて内部に通し、かつ誘導パイプ２０の上端を井戸の上端部に取付けて固定する取付け工程
（２）井戸Ｗに取付けられた状態の誘導パイプ２０に井戸水採水具１０の下端の錘３、その上方の複数の採水容器１の順で挿入する挿入工程
（３）井戸水採水具１０を井戸Ｗ内の水位以下まで降ろし、井戸Ｗ内の水を採取する取水工程
（４）採水を終えた井戸水採水具１０を誘導パイプ２０内で引き上げる引き上げ工程
【００３２】
上記採水方法によれば、誘導パイプ２０の取付け工程（１）で、誘導パイプ２０を井戸Ｗ内の邪魔物を避けておき、井戸水採水具の挿入工程（２）で、誘導パイプ２０内に井戸水採水具１０を錘３と複数の採水容器１，１の順で挿入すれば、井戸Ｗ内の水に採水容器１を漬けることができるので、そこで取水工程（３）を実施し、その後、井戸水採水具１０を引き上げる引き上げ工程（４）を実行すれば、井戸水の採水を、井戸Ｗ内の邪魔物に阻害されることなく容易に採水することができる。
【００３３】
そして、さらに次のような利点がある。
ａ）採水容器１を吊り紐２で吊るして、井戸Ｗの中に入れるとき、最下端の錘３によって複数個の採水容器１が上下に並び、吊り紐２が張った状態となるので、井戸Ｗ内の邪魔物に引っ掛かりにくい。
ｂ）吊り紐２は、その柔軟性によって自在に曲がるので、井戸Ｗ内の邪魔物を避けながら、採水容器１を井戸Ｗ内で出し入れできる。
ｃ）採水容器１は、複数個を用いるので、小形の採水容器を用いて邪魔物を避けやすくしながら、多くの水をサンプリングすることができる。
ｄ）採水容器１の直径も長さも小さいので、井戸内の邪魔物を避けやすい。しかも、上下に隣接する採水容器１間の間隔は採水容器の長さと等しいかやや長いので、吊り紐２と採水容器１からなる取水部４が自由に曲がることができ、やはり井戸内の邪魔物に引っ掛からない。さらに、採水容器が直径１０〜３０mm、長さ５０〜200mmであると、１個では採水量が少なくなるが、複数個を用いることによって、必要な採水量を確保できる。
ｅ）採水容器を直列に連結した本発明の構造は、例えば、井戸に挿入し、しばらく静置した後に迅速に引き上げることにより、井戸内での深さ方向の液を同時にサンプリングし、位置による状態を測定することができる。
【００３４】
また、図２に示す採水容器１を用いた場合、採水容器１の長さと吊り紐２の長さがほぼ同じであると、次のような利点がある。
すなわち、図７に示すように、複数本の採水容器１を束ねると、各採水容器１の上端開口がほぼ同じ位置に揃うので、複数本の採水容器１に採取した水を検査容器３０等に移し替える操作が行いやすくなる。図では３本の例を示しているが、作業員が手で握れる限り、４〜５本以上であっても同様に移し替え作業が容易に行える。
【符号の説明】
【００３５】
１  採水容器
２  吊り紐
３  錘
４  取水部
５  巻取り具
１０  井戸水採水具
２０  誘導パイプ
２１  通水穴
【図１】
2011127345.tif 000003
【図２】
2011127345.tif 000004
【図３】
2011127345.tif 000005
【図４】
2011127345.tif 000006
【図５】
2011127345.tif 000007
【図６】
2011127345.tif 000008
【図７】
2011127345.tif 000009
【図８】
2011127345.tif 000010